(57)【要約】【課題】インバータ回路と整流回路との複数の回路を備え、コンデンサの充放電を利用するＤＣ／ＤＣ電力変換装置において、コンデンサとインダクタとの共振現象利用により変換効率を向上させると共に、コンデンサの電圧リプルと過電流を抑制する。【解決手段】駆動用インバータ回路Ａ１と整流回路Ａ２、Ａ３との複数の回路を直列接続すると共に、回路Ａ１と他の各回路Ａ２、Ａ３との間にコンデンサCr12、Cr13とインダクタのＬＣ直列体LC12、LC13を共振周期を等しくして配設する。各回路Ａ１〜Ａ３内のMOSFETをオフさせる短絡用MOSFETを備えて、コンデンサCr12、Cr13の過大（小）電圧を検出すると所定のMOSFETをオフさせてコンデンサCr12、Cr13の充放電経路を遮断する。【選択図】図１
2008289266.tif 000002
【特許請求の範囲】
【請求項１】
半導体スイッチング素子から成る高圧側素子および低圧側素子を直列接続して平滑コンデンサの正負端子間に接続して成る駆動用インバータ回路と、半導体スイッチング素子あるいはダイオード素子から成る高圧側素子および低圧側素子を直列接続して平滑コンデンサの正負端子間に接続して成る整流回路とによる複数の回路を直列に接続すると共に、上記各回路内の上記高圧側素子と上記低圧側素子との接続点を中間端子として、上記各回路間となる該中間端子間にエネルギ移行用のコンデンサを接続し、かつ、該コンデンサを充放電する経路にインダクタを配して複数段電力変換回路を構成し、
上記コンデンサの電圧あるいは電流を検出する手段と、該検出値が所定の基準範囲を外れたとき異常を検出する手段と、該異常が検出されたコンデンサの充放電経路を遮断するように、所定の上記半導体スイッチング素子をオフさせる充放電停止手段とを備えたことを特徴とするＤＣ／ＤＣ電力変換装置。
【請求項２】
上記充放電停止手段は、上記所定の半導体スイッチング素子の制御電極と第２の電極とを強制的に短絡させてオフさせることを特徴とする請求項１に記載のＤＣ／ＤＣ電力変換装置。
【請求項３】
上記コンデンサの電圧あるいは電流を検出する手段は電圧センサであり、上記平滑コンデンサの電圧を検出する手段を備え、上記異常を検出する手段は、上記平滑コンデンサの電圧に応じて上記基準範囲である電圧範囲を決定して用いることを特徴とする請求項１または２に記載のＤＣ／ＤＣ電力変換装置。
【請求項４】
該ＤＣ／ＤＣ電力変換装置の温度を検出する手段を備え、上記異常を検出する手段は、上記検出温度に基づいて上記基準範囲を決定して用いることを特徴とする請求項１〜３のいずれか１項に記載のＤＣ／ＤＣ電力変換装置。
【請求項５】
上記複数段電力変換回路の入出力端子電圧に基づいて、該複数段電力変換回路の動作が昇圧動作か降圧動作かを判別する動作モード判別手段を備え、上記充放電停止手段にてオフさせる上記所定の半導体スイッチング素子は、上記動作モード判別手段にて判別された動作モードに応じて決定されることを特徴とする請求項１〜４のいずれか１項に記載のＤＣ／ＤＣ電力変換装置。
【請求項６】
上記複数段電力変換回路内の上記各半導体スイッチング素子を駆動する駆動信号は、駆動周期が上記コンデンサのコンデンサ容量と該コンデンサの充放電経路内の上記インダクタのインダクタンスとで決まる共振周期と概等しく、オン時間が上記共振周期の約１／２の期間であることを特徴とする請求項１〜５のいずれか１項に記載のＤＣ／ＤＣ電力変換装置。
【請求項７】
上記複数段電力変換回路内の上記各半導体スイッチング素子を駆動する駆動信号は、該ＤＣ／ＤＣ電力変換装置の起動から所定の期間のみ、オン時間をその他の期間より短くすることを特徴とする１〜６のいずれか１項に記載のＤＣ／ＤＣ電力変換装置。
【請求項８】
半導体スイッチング素子から成る高圧側素子および低圧側素子を直列接続して平滑コンデンサの正負端子間に接続して成る駆動用インバータ回路と、半導体スイッチング素子あるいはダイオード素子から成る高圧側素子および低圧側素子を直列接続して平滑コンデンサの正負端子間に接続して成る整流回路とによる複数の回路を直列に接続すると共に、上記各回路内の上記高圧側素子と上記低圧側素子との接続点を中間端子として、上記回路間となる該中間端子間にエネルギ移行用のコンデンサを接続し、かつ、該コンデンサを充放電する経路にインダクタを配して複数段電力変換回路を構成し、
上記複数段電力変換回路内の上記各半導体スイッチング素子を駆動するために、定常時用の第１の駆動信号と、該定常時用と駆動周期が同じでオン時間が短い第２の駆動信号とを切替選択して出力する駆動信号生成部を備えたことを特徴とするＤＣ／ＤＣ電力変換装置。
【請求項９】
上記各平滑コンデンサの電圧差を検出する手段を備え、該電圧差が所定電圧値より大きいとき、上記駆動信号生成部は上記第２の駆動信号を出力することを特徴とする請求項８に記載のＤＣ／ＤＣ電力変換装置。
【請求項１０】
上記コンデンサの電流を検出する手段を備え、該検出電流値が所定電流値より大きいとき、上記駆動信号生成部は上記第２の駆動信号を出力することを特徴とする請求項８に記載のＤＣ／ＤＣ電力変換装置。
【請求項１１】
該ＤＣ／ＤＣ電力変換装置の温度を検出する手段を備え、検出された温度に応じて上記検出電流値と比較する上記所定電流値を決定することを特徴とする請求項１０に記載のＤＣ／ＤＣ電力変換装置。
【請求項１２】
上記駆動信号生成部は、該ＤＣ／ＤＣ電力変換装置の起動から所定の期間、上記第２の駆動信号を出力することを特徴とする請求項８〜１１のいずれか１項に記載のＤＣ／ＤＣ電力変換装置。
【請求項１３】
上記第１の駆動信号は、駆動周期が上記コンデンサのコンデンサ容量と該コンデンサの充放電経路内の上記インダクタのインダクタンスとで決まる共振周期と概等しく、オン時間が上記共振周期の約１／２の期間であることを特徴とする請求項８〜１２のいずれか１項に記載のＤＣ／ＤＣ電力変換装置。
【請求項１４】
上記複数段電力変換回路は３以上の上記回路を備え、該各回路間に接続される上記各コンデンサのコンデンサ容量と該各コンデンサの充放電経路内の上記各インダクタのインダクタンスとで決まる共振周期はそれぞれ等しいことを特徴とする請求項１〜１３のいずれか１項に記載のＤＣ／ＤＣ電力変換装置。
【請求項１５】
上記各回路間となる上記中間端子間に上記コンデンサと上記インダクタとの直列体をそれぞれ接続したことを特徴とする請求項１〜１４のいずれか１項に記載のＤＣ／ＤＣ電力変換装置。
【請求項１６】
上記高圧側素子および上記低圧側素子の接続線と上記平滑コンデンサの端子との間に上記インダクタをそれぞれ接続したことを特徴とする請求項１〜１４のいずれか１項に記載のＤＣ／ＤＣ電力変換装置。
【請求項１７】
上記複数段電力変換回路内の上記各半導体スイッチング素子は、ソース・ドレイン間に寄生ダイオードを有するパワーＭＯＳＦＥＴ、あるいはダイオードを逆並列に接続した半導体スイッチング素子であることを特徴とする請求項１〜１６のいずれか１項に記載のＤＣ／ＤＣ電力変換装置。
【発明の詳細な説明】
【技術分野】
【０００１】
この発明は、直流電圧を昇圧あるいは降圧した直流電圧に変換する、ＤＣ／ＤＣ電力変換装置に関するものである。
【背景技術】
【０００２】
従来のＤＣ／ＤＣ電力変換装置としてのＤＣ／ＤＣコンバータは、正の電位に接続する半導体スイッチと負の電位に接続する半導体スイッチとを備えた少なくとも２個以上の半導体スイッチを具備するインバータ回路と、直列に接続される複数の整流器と直列に接続される複数のコンデンサとを備えた多倍圧整流回路で構成され、インバータ回路で交流電圧を作り、更に、多倍圧整流回路で高圧直流電圧を作り負荷に供給する（例えば、特許文献１参照）。
【０００３】
また従来の別例によるＤＣ／ＤＣ電力変換装置としてのスイッチトキャパシタコンバータは、インバータ回路と２倍圧整流回路とで構成され、コンデンサと直列にインダクタを接続し、ＬＣ共振現象を利用してコンデンサへの充放電電流を増大させ、大きな電力を移行しても効率の低下が少ない電力変換を実現している（例えば、非特許文献１参照）。
【０００４】
【特許文献１】特開平９−１９１６３８号公報
【非特許文献１】出利葉史俊他：「共振形スイッチトキャパシタコンバータの制御特性」，信学技法，IEICE  Technical  Report，EE2005-62，pp7-12，2006年
【発明の開示】
【発明が解決しようとする課題】
【０００５】
これらの従来のＤＣ／ＤＣ電力変換装置では、インバータ回路と整流回路とを備え、コンデンサの充放電を利用して直流／直流電力変換を行うものであり、また、コンデンサと直列にインダクタを接続してＬＣ共振現象を利用すると高効率で大きな電力が移行できる。しかしながら、ＬＣ共振現象を利用すると、コンデンサとインダクタのＬＣ直列体に大きな電流が流れ、コンデンサのリプル電圧が増大してコンデンサの耐圧を越えることがあった。
この発明では、上記のような問題点を解決するために成されたものであって、インバータ回路と整流回路とから成る複数の回路を備え、コンデンサの充放電を利用するＤＣ／ＤＣ電力変換装置において、コンデンサとインダクタとの共振現象を利用して変換効率を向上させると共に、コンデンサの電圧リプルと過電流を抑制して、信頼性を向上することを目的とする。
【課題を解決するための手段】
【０００６】
第１の発明によるＤＣ／ＤＣ電力変換装置は、半導体スイッチング素子から成る高圧側素子および低圧側素子を直列接続して平滑コンデンサの正負端子間に接続して成る駆動用インバータ回路と、半導体スイッチング素子あるいはダイオード素子から成る高圧側素子および低圧側素子を直列接続して平滑コンデンサの正負端子間に接続して成る整流回路とによる複数の回路を直列に接続すると共に、上記各回路内の上記高圧側素子と上記低圧側素子との接続点を中間端子として、上記各回路間となる該中間端子間にエネルギ移行用のコンデンサを接続し、かつ、該コンデンサを充放電する経路にインダクタを配して複数段電力変換回路を構成する。そして、上記コンデンサの電圧あるいは電流を検出する手段と、該検出値が所定の基準範囲を外れたとき異常を検出する手段と、該異常が検出されたコンデンサの充放電経路を遮断するように、所定の上記半導体スイッチング素子をオフさせる充放電停止手段とを備えたものである。
【０００７】
第２の発明によるＤＣ／ＤＣ電力変換装置は、半導体スイッチング素子から成る高圧側素子および低圧側素子を直列接続して平滑コンデンサの正負端子間に接続して成る駆動用インバータ回路と、半導体スイッチング素子あるいはダイオード素子から成る高圧側素子および低圧側素子を直列接続して平滑コンデンサの正負端子間に接続して成る整流回路とによる複数の回路を直列に接続すると共に、上記各回路内の上記高圧側素子と上記低圧側素子との接続点を中間端子として、上記回路間となる該中間端子間にエネルギ移行用のコンデンサを接続し、かつ、該コンデンサを充放電する経路にインダクタを配して複数段電力変換回路を構成する。そして、上記複数段電力変換回路内の上記各半導体スイッチング素子を駆動するために、定常時用の第１の駆動信号と、該定常時用と駆動周期が同じでオン時間が短い第２の駆動信号とを切替選択して出力する駆動信号生成部を備えたものである。
【発明の効果】
【０００８】
上記第１の発明によるＤＣ／ＤＣ電力変換装置は、コンデンサを充放電する経路にインダクタを配して複数段電力変換回路を構成するため、コンデンサとインダクタとの共振現象を利用して変換効率を向上できる。また、コンデンサの電圧あるいは電流の検出値が所定の基準範囲を外れたときコンデンサの充放電経路を遮断するようにしたため、コンデンサの電圧リプル、過電流を抑制することができ、信頼性の高いＤＣ／ＤＣ電力変換装置を実現できる。
【０００９】
また上記第２の発明によるＤＣ／ＤＣ電力変換装置は、コンデンサを充放電する経路にインダクタを配して複数段電力変換回路を構成するため、コンデンサとインダクタとの共振現象を利用して変換効率を向上できる。また、定常時用の第１の駆動信号と、該定常時用と駆動周期が同じでオン時間が短い第２の駆動信号とを切替選択して出力する駆動信号生成部を備えたため、オン時間の短い第２の駆動信号を用いてコンデンサの電圧リプル、過電流を抑制することができ、信頼性の高いＤＣ／ＤＣ電力変換装置を実現できる。
【発明を実施するための最良の形態】
【００１０】
実施の形態１．
以下、この発明の実施の形態１によるＤＣ／ＤＣ電力変換装置を図に基づいて説明する。
図１はこの発明の実施の形態１によるＤＣ／ＤＣ電力変換装置の主回路部の構成を示す図である。図１に示すように、ＤＣ／ＤＣ電力変換装置の主回路部は、直流電圧を３倍に昇圧あるいは1/3倍に降圧した直流電圧に変換する機能を有する。ＤＣ／ＤＣ電力変換装置の主回路部は、入出力電圧V1、V2を平滑化し、またエネルギ移行のための電圧源としても機能する平滑コンデンサCs1、Cs2、Cs3と、複数の半導体スイッチング素子であるMOSFETとを備え、低圧側素子、高圧側素子としての２つのMOSFET（Mos1L、Mos1H）（Mos2L、Mos2H）（Mos3L、Mos3H）を直列接続して各平滑コンデンサCs1、Cs2、Cs3の両端子間に接続した回路Ａ１、Ａ２、Ａ３を直列接続して構成される。そして、各回路Ａ１、Ａ２、Ａ３内の２つのMOSFETの接続点を中間端子として、回路Ａ１と他の各回路Ａ２、Ａ３との中間端子間に、コンデンサCr12、Cr13およびインダクタLr12、Lr13の直列体で構成されエネルギ移行素子として機能するＬＣ直列体LC12、LC13を接続する。
また、各MOSFET（Mos1L、Mos1H、Mos2L、Mos2H、Mos3L、Mos3H）のゲート・ソース間を短絡させてオフさせるための短絡用MOSFET(Mos1Lpr、Mos1Hpr、Mos2Lpr、Mos2Hpr、Mos3Lpr、Mos3Hpr)を備える。
なお、各MOSFETは、ソース、ドレイン間に寄生ダイオードが形成されているパワーMOSFETである。
【００１１】
主回路部の接続の詳細について説明する。平滑コンデンサCs1の両端子は、それぞれ電圧端子VLとVcomに接続され、電圧端子Vcomは接地されている。平滑コンデンサCs1のVL側電圧端子は、平滑コンデンサCs2の一方の端子に接続され、平滑コンデンサCs2の他方の端子は電圧端子VMと平滑コンデンサCs3の一方の端子に、平滑コンデンサCs3の他方の端子は電圧端子VHに接続されている。
Mos1Lのソース端子は電圧端子Vcomに、ドレイン端子はMos1Hのソース端子に、Mos1Hのドレイン端子は電圧端子VLに接続されている。Mos2Lのソース端子は平滑コンデンサCs2の低電圧側の端子に、Mos2Lのドレイン端子はMos2Hのソース端子に、Mos2Hのドレイン端子は平滑コンデンサCs2の高電圧側の端子に接続されている。Mos3Lのソース端子は平滑コンデンサCs3の低電圧側の端子に、Mos3Lのドレイン端子はMos3Hのソース端子に、Mos3Hのドレイン端子は平滑コンデンサCs3の高電圧側の端子に接続されている。
【００１２】
ＬＣ直列体LC12の一端は、Mos1LとMos1Hの接続点に接続され、他端はMos2LとMos2Hの接続点に接続されている。ＬＣ直列体LC13の一端は、Mos1LとMos1Hの接続点に接続され、他端はMos3LとMos3Hの接続点に接続されている。各段のインダクタLrとコンデンサCrのインダクタンス値と容量値から定まる共振周期の値は、それぞれ等しくなるように設定されている。
Mos1L、Mos1Hのゲート端子はゲート駆動回路111の出力端子に接続され、ゲート駆動回路111の入力端子には、Mos1Lのソース端子の電圧を基準としたそれぞれのゲート駆動信号が入力される。ゲート駆動回路は、一般的なブートストラップ方式の駆動回路であり、ハーフブリッジインバータ回路駆動用のドライバICや高電圧側のMOSFETを駆動するためのコンデンサ等で構成されている。Mos2L、Mos2Hのゲート端子はゲート駆動回路112の出力端子に接続され、ゲート駆動回路112の入力端子には、Mos2Lのソース端子の電圧を基準としたそれぞれのゲート駆動信号が入力される。Mos3L、Mos3Hのゲート端子はゲート駆動回路113の出力端子に接続され、ゲート駆動回路113の入力端子には、Mos3Lのソース端子の電圧を基準としたそれぞれのゲート駆動信号が入力される。
【００１３】
Mos1L駆動用のゲート駆動信号はフォトカプラ121Lから、Mos1H駆動用のゲート駆動信号はフォトカプラ121Hから出力される。Mos2L駆動用のゲート駆動信号はフォトカプラ122Lから、Mos2H駆動用のゲート駆動信号はフォトカプラ122Hから出力される。Mos3L駆動用のゲート駆動信号はフォトカプラ123Lから、Mos3H駆動用のゲート駆動信号はフォトカプラ123Hから出力される。フォトカプラ121L、122L、123Lには、ゲート信号GateLが入力される。フォトカプラ121H、122H、123Hには、ゲート信号GateHが入力される。
電源Vs1、Vs2、Vs3は、それぞれMos1L、Mos2L、Mos3Lのソース端子を基準とした、MOSFET、ゲート駆動回路、フォトカプラを駆動するために備えられた電源である。
【００１４】
Mos1Lprのドレイン端子はMos1Lのゲート端子に、Mos1Lprのソース端子はMos1Lのソース端子に、Mos1Hprのドレイン端子はMos1Hのゲート端子に、Mos1Hprのソース端子はMos1Hのソース端子に接続されている。Mos2Lprのドレイン端子はMos2Lのゲート端子に、Mos2Lprのソース端子はMos2Lのソース端子に、Mos2Hprのドレイン端子はMos2Hのゲート端子に、Mos2Hprのソース端子はMos2Hのソース端子に接続されている。Mos3Lprのドレイン端子はMos3Lのゲート端子に、Mos3Lprのソース端子はMos3Lのソース端子に、Mos3Hprのドレイン端子はMos3Hのゲート端子に、Mos3Hprのソース端子はMos3Hのソース端子に接続されている。
【００１５】
Mos1Lprのゲート端子にはフォトカプラ131Lの出力端子が接続され、フォトカプラ131Lの入力端子には保護信号Spr1Lが入力される。Mos1Hprのゲート端子にはフォトカプラ131Hの出力端子が接続され、フォトカプラ131Hの入力端子には保護信号Spr1Hが入力される。Mos2Lprのゲート端子にはフォトカプラ132Lの出力端子が接続され、フォトカプラ132Lの入力端子には保護信号Spr2Lが入力される。Mos2Hprのゲート端子にはフォトカプラ132Hの出力端子が接続され、フォトカプラ132Hの入力端子には保護信号Spr2Hが入力される。Mos3Lprのゲート端子にはフォトカプラ133Lの出力端子が接続され、フォトカプラ133Lの入力端子には保護信号Spr3Lが入力される。Mos3Hprのゲート端子にはフォトカプラ133Hの出力端子が接続され、フォトカプラ133Hの入力端子には保護信号Spr3Hが入力される。
【００１６】
図２は、図１で示したＤＣ／ＤＣ電力変換装置の主回路部を制御する制御部の構成を示す図である。図２（ａ）は、各回路Ａ１、Ａ２、Ａ３内の高圧側MOSFET（Mos1H〜Mos3H）、低圧側MOSFET（Mos1L〜Mos3L）を駆動するためのゲート信号GateH、GateLを生成する制御回路１０を示し、図２（ｂ）は、短絡用MOSFET(Mos1Lpr、Mos1Hpr、Mos2Lpr、Mos2Hpr、Mos3Lpr、Mos3Hpr)を駆動するための保護信号(Spr1L、Spr1H、Spr2L、Spr2H、Spr3L、Spr3H)を生成する回路を示す。
短絡用MOSFET(Mos1Lpr、Mos1Hpr、Mos2Lpr、Mos2Hpr、Mos3Lpr、Mos3Hpr)は、各コンデンサCr12、Cr13の充放電停止手段となるもので、この短絡用MOSFETと、短絡用MOSFETを駆動するための保護信号を生成する回路（図２（ｂ）参照）とで、コンデンサCr1、Cr2の異常電圧を検出し保護する保護回路を構成する。
【００１７】
図２（ｂ）に示すように、電圧センサSVcr12には、コンデンサCr12の両端の電圧(Vcr12H、Vcr12L)が入力されてコンデンサCr12の電圧を検出し、検出電圧Vcr12を出力する。コンパレータCOMP101には、検出電圧Vcr12とコンデンサCr12の上限電圧Vcr12highとが入力され、検出信号OVcr12を出力する。コンパレータCOMP102には、検出電圧Vcr12とコンデンサCr12の下限電圧Vcr12lowとが入力され、検出信号UVcr12を出力する。なお、上限電圧Vcr12high、下限電圧Vcr12lowにてコンデンサCr12の異常検出のための基準範囲を構成する。
検出信号OVcr12は、コンデンサCr12の検出電圧Vcr12が上限電圧Vcr12highより大きいときにハイ電圧となり、それ以外のときにロウ電圧となる。検出信号UVcr12は、コンデンサCr12の検出電圧Vcr12が下限電圧Vcr12lowより小さいときにハイ電圧となり、それ以外のときにロウ電圧となる。
【００１８】
電圧センサSVcr13には、コンデンサCr13の両端の電圧(Vcr13H、Vcr13L)が入力されてコンデンサCr13の電圧を検出し、検出電圧Vcr13を出力する。コンパレータCOMP103には、検出電圧Vcr13とコンデンサCr13の上限電圧Vcr13highとが入力され、検出信号OVcr13を出力する。コンパレータCOMP104には、検出電圧Vcr13とコンデンサCr13の下限電圧Vcr13lowとが入力され、検出信号UVcr13を出力する。なお、上限電圧Vcr13high、下限電圧Vcr13lowにてコンデンサCr13の異常検出のための基準範囲を構成する。
検出信号OVcr13は、コンデンサCr13の検出電圧Vcr13が上限電圧Vcr13highより大きいときにハイ電圧となり、それ以外のときにロウ電圧となる。検出信号UVcr13は、コンデンサCr13の検出電圧Vcr13が下限電圧Vcr13lowより小さいときにハイ電圧となり、それ以外のときにロウ電圧となる。
【００１９】
検出信号OVcr12は保護信号Spr1Lと保護信号Spr2Hとに接続され、検出信号UVcr12は保護信号Spr1Hと保護信号Spr2Lとに接続される。また、検出信号OVcr13は保護信号Spr3Hに接続され、検出信号UVcr13は保護信号Spr3Lに接続される。
【００２０】
次に動作について説明する。
まず、コンデンサCr12、Cr13の電圧が正常である場合について説明する。
平滑コンデンサCs1、Cs2、Cs3の容量値は、ＬＣ直列体のコンデンサCr12、Cr13の容量値と比較して十分大きな値に設定される。上述したように、電圧端子VH-Vcom間の電圧V2は、電圧端子VL−Vcom間の電圧V1の約3倍となる。
電圧V2が3×V1よりも低い値のときは、電圧Ｖ１を電圧Ｖ２に昇圧する昇圧回路として動作する。昇圧回路として動作するときは、回路Ａ１は電圧端子VL−Vcom間に入力されるエネルギを、MOSFET（Mos1L、Mos1H）のオンオフ動作により高電圧側に送る駆動用インバータ回路に用いられる。また、回路Ａ２、Ａ３は、駆動用インバータ回路Ａ１で駆動された電流を整流し、エネルギを高電圧側へ移行する整流回路として用いられる。
【００２１】
また、電圧Ｖ２が３×Ｖ１よりも大きい値のときは、電圧Ｖ２を電圧Ｖ１に降圧する降圧回路として動作する。降圧回路として動作するときは、回路Ａ２、Ａ３は電圧端子ＶＨ−Vcom間に入力されるエネルギを、MOSFET（Mos2L、Mos2H、Mos3L、Mos3H）のオンオフ動作により低電圧側に送る駆動用インバータ回路に用いられる。また、回路Ａ１は、駆動用インバータ回路Ａ２、Ａ３で駆動された電流を整流し、エネルギを低電圧側へ移行する整流回路として用いられる。
【００２２】
ゲート信号GateH、GateLは、マイクロコンピュータ等の信号処理回路から成る制御回路１０にて生成される。
ゲート信号GateH、GateLは、LrとCrによるＬＣ直列体LC12、LC13にて定まる共振周期と同等の周期Ｔでデューティー約50％のオンオフ信号であり、GateHとGateLはオンとオフとが相反する信号である。なお、MOSFETはゲート信号がハイ電圧でオンする。
定常状態では、平滑コンデンサCs1には電圧V1の電圧が充電されており、平滑コンデンサCs2、Cs3には平均的に(V2-V1)/2の電圧が充電されている。
【００２３】
昇圧回路としての動作を以下に説明する。
ゲート信号GateLによりMos1L、Mos2L、Mos3Lがオン状態となると、電圧差があるため、平滑コンデンサCs1、Cs2に蓄えられた一部のエネルギが、以下に示す経路でコンデンサCr12、Cr13に移行する。
Cs1⇒Mos2L⇒Lr12⇒Cr12⇒Mos1L
Cs1⇒Cs2⇒Mos3L⇒Lr13⇒Cr13⇒Mos1L
ＬＣ直列体LC12、LC13による共振現象を利用しているため、コンデンサCr12は平滑コンデンサCs1の電圧より大きな電圧まで充電され、コンデンサCr13は平滑コンデンサCs1、Cs2の電圧より大きな電圧まで充電される。
【００２４】
次いで、ゲート信号GateHによりMos1H、Mos2H、Mos3Hがオン状態となると、電圧差があるため、平滑コンデンサCr12、Cr13に蓄えられた一部のエネルギが、以下に示す経路でコンデンサCs2、Cs3に移行する。
Cr12⇒Lr12⇒Mos2H⇒Cs2⇒Mos1H
Cr13⇒Lr13⇒Mos3H⇒Cs3⇒Cs2⇒Mos1H
ＬＣ直列体LC12、LC13による共振現象を利用しているため、コンデンサCr12は平滑コンデンサCs2の電圧より小さな電圧まで放電され、コンデンサCr13は平滑コンデンサCs2、Cs3の電圧より小さな電圧まで放電される。
【００２５】
次に降圧回路としての動作を以下に説明する。
ゲート信号GateHによりMos1H、Mos2H、Mos3Hがオン状態となると、電圧差があるため、平滑コンデンサCs2、Cs3に蓄えられた一部のエネルギが、以下に示す経路でコンデンサCr12、Cr13に移行する。
Cs2⇒Mos2H⇒Lr12⇒Cr12⇒Mos1H
Cs2⇒Cs3⇒Mos3H⇒Lr13⇒Cr13⇒Mos1H
ＬＣ直列体LC12、LC13による共振現象を利用しているため、コンデンサCr12は平滑コンデンサCs2の電圧より大きな電圧まで充電され、コンデンサCr13は平滑コンデンサCs2、Cs3の電圧より大きな電圧まで充電される。
【００２６】
次いで、ゲート信号GateLによりMos1L、Mos2L、Mos3Lがオン状態となると、電圧差があるため、コンデンサCr12、Cr13に蓄えられた一部のエネルギが、以下に示す経路でコンデンサCs1、Cs2に移行する。
Cr12⇒Lr12⇒Mos2L⇒Cs1⇒Mos1L
Cr13⇒Lr13⇒Mos3L⇒Cs2⇒Cs1⇒Mos1L
ＬＣ直列体LC12、LC13による共振現象を利用しているため、コンデンサCr12は平滑コンデンサCs1の電圧より小さな電圧まで放電され、コンデンサCr13は平滑コンデンサCs1、Cs2の電圧より小さな電圧まで放電される。
【００２７】
このように、昇圧動作および降圧動作において、コンデンサCr12、Cr13の充放電により、平滑コンデンサCs1と平滑コンデンサCs2、Cs3の間でエネルギを移行する。また、各コンデンサCr12、Cr13には、インダクタLr12、Lr13が直列に接続されてＬＣ直列体LC12、LC13を構成するため、上記エネルギの移行は共振現象を利用したものとなり、大きなエネルギ量を効率よく移行できる。また、共振現象を利用しているため、コンデンサCr12、Cr13は平滑コンデンサCsの電圧以上の電圧まで充電され、平滑コンデンサCsの電圧以下の電圧まで放電される。
【００２８】
次に、短絡用MOSFET(Mos1Lpr、Mos1Hpr、Mos2Lpr、Mos2Hpr、Mos3Lpr、Mos3Hpr)と、この短絡用MOSFETを駆動するための保護信号を生成する回路（図２（ｂ）参照）とで構成される保護回路の動作について説明する。
保護回路は、コンデンサCr12とコンデンサCr13の異常電圧（過大電圧、過小電圧）を検出し、MOSFET(Mos1L〜Mos3L、Mos1H〜Mos3H)を強制的にオフする回路である。また、コンデンサCr12、Cr13の電圧が正常であるときは、保護回路は動作しない。
【００２９】
コンデンサCr12は、昇圧動作のときはMos1Lのドレイン端子からソース端子に電流が流れて充電され、降圧動作のときはMos2Hのドレイン端子からソース端子に電流が流れて充電される。コンデンサCr12の検出電圧Vcr12が上限電圧Vcr12highより大きくなると、コンパレータCOMP101の出力である検出信号OVcr12がハイ電圧となり、コンデンサCr12が過大電圧であることを検出する。検出信号OVcr12がハイ電圧となると、保護信号Spr1L、Spr2Hがハイ電圧となり、Mos1Lpr、Mos2Hprがオンし、Mos1L、Mos2Hのゲート−ソース端子間が短絡され、Mos1L、Mos2Hがオフとなる。Mos1L、Mos2Hがオフとなると、コンデンサCr12の充電経路が絶たれ、コンデンサCr12の充電が終了し、コンデンサCr12の過大電圧を防ぐことができる。
【００３０】
また、コンデンサCr12は、昇圧動作のときはMos1Hのドレイン端子からソース端子に電流が流れて放電され、降圧動作のときはMos2Lのドレイン端子からソース端子に電流が流れて放電される。コンデンサCr12の検出電圧Vcr12が下限電圧Vcr12lowより小さくなると、コンパレータCOMP102の出力である検出信号UVcr12がハイ電圧となり、コンデンサCr12が過小電圧であることを検出する。検出信号UVcr12がハイ電圧となると、保護信号Spr1H、Spr2Lがハイ電圧となり、Mos1Hpr、Mos2Lprがオンし、Mos1H、Mos2Lのゲート−ソース端子間が短絡され、Mos1H、Mos2Lがオフとなる。Mos1L、Mos2Hがオフとなると、コンデンサCr12の放電経路が絶たれ、コンデンサCr12の放電が終了し、コンデンサCr12の過小電圧を防ぐことができる。
コンデンサCr12が放電により過小電圧となると、次の充電時にコンデンサCr12が過大電圧となる。このためコンデンサCr12の過小電圧を防ぐことにより、コンデンサCr12の過大電圧も防ぐことができ、電圧リプルも抑制することができる。
【００３１】
コンデンサCr13は、降圧動作のときMos3Hのドレイン端子からソース端子に電流が流れて充電される。コンデンサCr13の検出電圧Vcr13が上限電圧Vcr13highより大きくなると、コンパレータCOMP103の出力である検出信号OVcr13がハイ電圧となり、コンデンサCr13が過大電圧であることを検出する。検出信号OVcr13がハイ電圧となると、保護信号Spr3Hがハイ電圧となり、Mos3Hprがオンし、Mos3Hのゲート−ソース端子間が短絡され、Mos3Hがオフとなる。Mos3Hがオフとなると、コンデンサCr13の充電経路が絶たれ、コンデンサCr13の充電が終了し、コンデンサCr13の過大電圧を防ぐことができる。
【００３２】
また、コンデンサCr13は、降圧動作のときMos3Lのドレイン端子からソース端子に電流が流れて放電される。コンデンサCr13の検出電圧Vcr13が下限電圧Vcr13lowより小さくなると、コンパレータCOMP104の出力である検出信号UVcr13がハイ電圧となり、コンデンサCr13が過小電圧であることを検出する。検出信号UVcr13がハイ電圧となると、保護信号Spr3Lがハイ電圧となり、Mos3Lprがオンし、Mos3Lのゲート−ソース端子間が短絡され、Mos3Lがオフとなる。Mos3Hがオフとなると、コンデンサCr13の放電経路が絶たれ、コンデンサCr13の放電が終了し、コンデンサCr13の過小電圧を防ぐことができる。
コンデンサCr13が放電により過小電圧となると、次の充電時にコンデンサCr13が過大電圧となる。このためコンデンサCr13の過小電圧を防ぐことにより、コンデンサCr13の過大電圧も防ぐことができ、電圧リプルも抑制することができる。
【００３３】
この実施の形態では、ＬＣ直列体LC12、LC13の共振現象を効果的に利用でき、しかも各回路Ａ１〜Ａ３にMOSFETを用いたことで導通損失が低減できるため、変換効率の高いＤＣ／ＤＣ電力変換装置が実現できる。また、コンデンサCr12、Cr13の過大電圧、過小電圧を防ぐことにより、コンデンサCr12、Cr13の電圧リプルを抑制でき、コンデンサCr12、Cr13の過電流と、MOSFET(Mos1L〜Mos3L、Mos1H〜Mos3H)の過電流も防ぐことができ、信頼性の高いＤＣ／ＤＣ電力変換装置が実現できる。
また、各回路Ａ１〜Ａ３内のMOSFETのゲート−ソース端子間を短絡させるための短絡用MOSFET(Mos1Lpr、Mos1Hpr、Mos2Lpr、Mos2Hpr、Mos3Lpr、Mos3Hpr)を備えたため、コンデンサCr12、Cr13の充放電経路を容易に遮断できてコンデンサCr12、Cr13の過大電圧、過小電圧を容易で確実に防ぐことができる。
【００３４】
実施の形態２．
次に、この発明の実施の形態２によるＤＣ／ＤＣ電力変換装置を説明する。
この実施の形態２によるＤＣ／ＤＣ電力変換装置の主回路部は、上記実施の形態１の図１で示したものと同じであり、各回路Ａ１、Ａ２、Ａ３内の高圧側MOSFET（Mos1H〜Mos3H）、低圧側MOSFET（Mos1L〜Mos3L）を駆動するためのゲート信号GateH、GateLを生成する制御回路１０も上記実施の形態１の図２（ａ）で示したものと同じである。
短絡用MOSFET(Mos1Lpr、Mos1Hpr、Mos2Lpr、Mos2Hpr、Mos3Lpr、Mos3Hpr)を駆動するための保護信号(Spr1L、Spr1H、Spr2L、Spr2H、Spr3L、Spr3H)を生成する回路で用いる上限電圧Vcr12high、Vcr13highと下限電圧Vcr12low、Vcr13lowが、上記実施の形態１では固定であったが、この実施の形態２では可変であり、保護信号生成回路を図３に示す。
【００３５】
図３に示すように、電圧センサSVcr12、SVcr13およびコンパレータCOMP101〜COMP104を備えて、検出電圧Vcr12、Vcr13とコンデンサCr12、Cr13の上限電圧Vcr12high、Vcr13high、下限電圧Vcr12low、Vcr13lowとから保護信号(Spr1L、Spr1H、Spr2L、Spr2H、Spr3L、Spr3H)を生成する回路の部分については、図２（ｂ）で示したものと同じである。そして、電圧センサSVMと上下限電圧生成部２とを備える。電圧センサSVMは、平滑コンデンサCs2の高電圧側端子（平滑コンデンサCs3の低電圧側端子）に接続された電圧端子VMと電圧端子Vcomに接続され、電圧端子VMの電圧を検出して、検出電圧VMsを出力する。上下限電圧生成部２には、検出電圧VMsが入力され、コンデンサCr12、Cr13の上限電圧Vcr12high、Vcr13highと下限電圧Vcr12low、Vcr13lowを出力する。
【００３６】
コンデンサCr12、Cr13の充放電動作は、上記実施の形態１と同様である。
コンデンサCr12は、平滑コンデンサCs1と平滑コンデンサCs2とのエネルギにより充放電を行う。そのため、コンデンサCr12の平均電圧は、平滑コンデンサCs1の電圧と平滑コンデンサCs2の電圧の平均値となる。平滑コンデンサCs1、Cs2の平均電圧は、検出電圧VMsの半分の電圧となるので、コンデンサCr12の平均電圧は、検出電圧VMsの半分の電圧となる。
また、コンデンサCr13は、平滑コンデンサCs1、Cs2と平滑コンデンサCs2、Cs3とのエネルギにより充放電を行う。そのため、平滑コンデンサCs1の電圧と平滑コンデンサCs2の電圧の和である検出電圧VMsは、コンデンサCr13の平均電圧とほぼ等しくなる。
上下限電圧生成部２は、オペアンプを用いた差動増幅回路により構成され、検出電圧VMsの半分の電圧に所定の電圧ΔVを加算した電圧をコンデンサCr12の上限電圧Vcr12highとし、検出電圧VMsの半分の電圧に所定の電圧ΔVを減算した電圧をコンデンサCr12の下限電圧Vcr12lowとする。また、検出電圧VMsに所定の電圧ΔVを加算した電圧をコンデンサCr13の上限電圧Vcr13highとし、検出電圧VMsに所定の電圧ΔVを減算した電圧をコンデンサCr13の下限電圧Vcr13lowとする。
【００３７】
このように、この実施の形態では、コンデンサCr12、Cr13の充放電に係る平滑コンデンサの電圧となる検出電圧VMsに応じてコンデンサCr12、Cr13の上下限電圧Vcr12high、Vcr13high、Vcr12low、Vcr13lowを変化させる。これにより、最適な上限電圧Vcr12high、Vcr13highと下限電圧Vcr12low、Vcr13lowが得られ、短絡用MOSFET(Mos1Lpr、Mos1Hpr、Mos2Lpr、Mos2Hpr、Mos3Lpr、Mos3Hpr)を駆動するための保護信号(Spr1L、Spr1H、Spr2L、Spr2H、Spr3L、Spr3H)を信頼性よく生成でき、コンデンサCr12、Cr13の異常電圧を信頼性よく防止できる。
【００３８】
また、この実施の形態では、コンデンサCr12、Cr13の充放電に係る平滑コンデンサの電圧として検出電圧VMsを用いたが、平滑コンデンサCs1、Cs2、Cs3の電圧に応じてコンデンサCr12、Cr13の上下限電圧Vcr12high、Vcr13high、Vcr12low、Vcr13lowを決定しても良い。
【００３９】
実施の形態３．
上記実施の形態２では、上下限電圧生成部２は、コンデンサCr12、Cr13の充放電に係る平滑コンデンサCsの電圧に応じて上下限電圧（Vcr12high、Vcr13high、Vcr12low、Vcr13low）を生成したが、この実施の形態３では、平滑コンデンサCsの電圧と、さらにＤＣ／ＤＣ電力変換装置の温度によって上下限電圧（Vcr12high、Vcr13high、Vcr12low、Vcr13low）を決定する。この実施の形態３による保護信号生成回路を図４に示す。
図４に示すように、電圧センサSVcr12、SVcr13およびコンパレータCOMP101〜COMP104を備えて、検出電圧Vcr12、Vcr13とコンデンサCr12、Cr13の上限電圧Vcr12high、Vcr13high、下限電圧Vcr12low、Vcr13lowとから保護信号(Spr1L、Spr1H、Spr2L、Spr2H、Spr3L、Spr3H)を生成する回路の部分については、図２（ｂ）で示したものと同じである。そして、電圧センサSVMと温度センサ３と上下限電圧生成部２ａとを備える。
【００４０】
温度センサ３は、ＤＣ／ＤＣ電力変換装置に設けられてＤＣ／ＤＣ電力変換装置の温度を検出し、検出温度Tempを出力する。電圧センサSVMは、上記実施の形態２で示したものと同様であり、上下限電圧生成部２ａには、電圧センサSVMからの検出電圧VMsと、温度センサ３からの検出温度Tempとが入力され、コンデンサCr12、Cr13の上限電圧Vcr12high、Vcr13highと下限電圧Vcr12low、Vcr13lowを出力する。
上下限電圧生成部２ａは、オペアンプを用いた差動増幅回路により構成され、検出温度Tempに基づいて電圧ΔVを決定し、検出電圧VMsの半分の電圧に電圧ΔVを加算した電圧をコンデンサCr12の上限電圧Vcr12highとし、検出電圧VMsの半分の電圧に電圧ΔVを減算した電圧をコンデンサCr12の下限電圧Vcr12lowとする。また、検出電圧VMsに電圧ΔVを加算した電圧をコンデンサCr13の上限電圧Vcr13highとし、検出電圧VMsに電圧ΔVを減算した電圧をコンデンサCr13の下限電圧Vcr13lowとする。
【００４１】
このように、この実施の形態では、コンデンサCr12、Cr13の上限電圧Vcr12high、Vcr13highと下限電圧Vcr12low、Vcr13lowとの電圧幅を決定する電圧ΔVを検出温度Tempに応じて可変とする。検出温度Tempが低いときには電圧ΔVを大きくし、検出温度Tempが高いときには電圧ΔVを小さくする。
電圧ΔVを小さくすることにより、コンデンサCr12、Cr13の電圧リプルをより小さく抑制でき、コンデンサCr12、Cr13の電流も抑制することができるため、コンデンサCr12、Cr13のリプル電流による自己発熱を抑制することができる。
このように、ＤＣ／ＤＣ電力変換装置の温度が低いときには、コンデンサCr12、Cr13に比較的大きな電流を流し、温度が高いときには、コンデンサCr12、Cr13の電流を低レベルに制限することにより、自己発熱が抑制され、コンデンサCr12、Cr13が高温となるのを防止できる。これにより、コンデンサCr12、Cr13の高温による故障を効果的に防止でき、信頼性の高いＤＣ／ＤＣ電力変換装置を実現できる。
【００４２】
実施の形態４．
次に、この発明の実施の形態４によるＤＣ／ＤＣ電力変換装置を説明する。
この実施の形態４によるＤＣ／ＤＣ電力変換装置の主回路部は、上記実施の形態１の図１で示したものと同じであり、各回路Ａ１、Ａ２、Ａ３内の高圧側MOSFET（Mos1H〜Mos3H）、低圧側MOSFET（Mos1L〜Mos3L）を駆動するためのゲート信号GateH、GateLを生成する制御回路１０も上記実施の形態１の図２（ａ）で示したものと同じである。
短絡用MOSFET(Mos1Lpr、Mos1Hpr、Mos2Lpr、Mos2Hpr、Mos3Lpr、Mos3Hpr)を駆動するための保護信号(Spr1L、Spr1H、Spr2L、Spr2H、Spr3L、Spr3H)を生成する保護信号生成回路を図５（ａ）〜図５（ｄ）に示す。
【００４３】
図５（ａ）に示すように、電圧センサSVcr12には、コンデンサCr12の両端の電圧(Vcr12H、Vcr12L)が入力されてコンデンサCr12の電圧を検出し、検出電圧Vcr12を出力する。コンパレータCOMP101には、検出電圧Vcr12とコンデンサCr12の上限電圧Vcr12highとが入力され、検出信号OVcr12を出力する。コンパレータCOMP102には、検出電圧Vcr12とコンデンサCr12の下限電圧Vcr12lowとが入力され、検出信号UVcr12を出力する。
電圧センサSVcr13には、コンデンサCr13の両端の電圧(Vcr13H、Vcr13L)が入力されてコンデンサCr13の電圧を検出し、検出電圧Vcr13を出力する。コンパレータCOMP103には、検出電圧Vcr13とコンデンサCr13の上限電圧Vcr13highとが入力され、検出信号OVcr13を出力する。コンパレータCOMP104には、検出電圧Vcr13とコンデンサCr13の下限電圧Vcr13lowとが入力され、検出信号UVcr13を出力する。
【００４４】
上記コンパレータCOMP101〜COMP104に入力される、コンデンサCr12、Cr13の上限電圧Vcr12high、Vcr13high、下限電圧Vcr12low、Vcr13lowは、上記実施の形態２で示したものと同様に、図５（ｂ）に示す回路にて生成される。なお、上記実施の形態１、あるいは３と同様に生成しても良い。
【００４５】
図５（ｃ）は、ＤＣ／ＤＣ電力変換装置の主回路部の動作が昇圧動作か降圧動作かのいずれの動作かを判別する回路部を示す。
電圧センサSVHが電圧端子VH、Vcomに、電圧センサSVLが電圧端子VL、Vcomに接続され、電圧センサSVHでは電圧端子VHと電圧端子Vcom間の電圧V2を検出し、電圧センサSVLでは電圧端子VLと電圧端子Vcom間の電圧V1を検出する。動作モード判別部４は、電圧センサSVHからの電圧V2と電圧センサSVLからの電圧V1とを入力として、電圧V1の３倍と電圧V2との大小の比較を行い、動作モードMode1を出力する。電圧V2が電圧V1の３倍よりも大きいときには動作モードMode1がハイ電圧となり、電圧V2が電圧V1の３倍よりも小さいときには動作モードMode1がロウ電圧となる。即ち、ＤＣ／ＤＣ電力変換装置が降圧動作時には動作モードMode1がハイ電圧となり、昇圧動作時には動作モードMode1がロウ電圧となる。
【００４６】
そして、図５（ｄ）に示すように、動作モードMode1はインバータ回路(ロジック回路)INV111にて反転され、アンド回路（ロジック回路）AND111Lは、検出信号OVcr12とINV111の出力とを入力として出力し、該出力信号は保護信号Spr1Lに接続される。また、アンド回路（ロジック回路）AND111Hは、検出信号UVcr12とINV111の出力とを入力として出力し、該出力信号は保護信号Spr1Hに接続される。
アンド回路（ロジック回路）AND112Lは、検出信号UVcr12と動作モードMode1とを入力として出力し、該出力信号は保護信号Spr2Lに接続される。アンド回路（ロジック回路）AND112Hは、検出信号OVcr12と動作モードMode1とを入力として出力し、該出力信号は保護信号Spr2Hに接続される。
アンド回路（ロジック回路）AND113Lは、検出信号UVcr13と動作モードMode1とを入力として出力し、該出力信号は保護信号Spr3Lに接続される。アンド回路（ロジック回路）AND113Hは、検出信号OVcr13と動作モードMode1とを入力として出力し、該出力信号は保護信号Spr3Hに接続される。
【００４７】
動作モードMode1がロウ電圧（昇圧動作）のときは、検出信号OVcr12がハイ電圧（コンデンサCr12が過大電圧）のときのみ、保護信号Spr1Lがハイ電圧となり、検出信号UVcr12がハイ電圧（コンデンサCr12が過小電圧）のときのみ、保護信号Spr1Hがハイ電圧となる。
また、動作モードMode1がハイ電圧（降圧動作）のときは、検出信号UVcr12がハイ電圧（コンデンサCr12が過小電圧）のときのみ、保護信号Spr2Lがハイ電圧となり、検出信号OVcr12がハイ電圧（コンデンサCr12が過大電圧）のときのみ、保護信号Spr2Hがハイ電圧となる。さらに、検出信号UVcr13がハイ電圧（コンデンサCr13が過小電圧）のときのみ、保護信号Spr3Lがハイ電圧となり、検出信号OVcr13がハイ電圧（コンデンサCr13が過大電圧）のときのみ、保護信号Spr3Hがハイ電圧となる。
【００４８】
このように、昇圧動作時には保護信号Spr1L、Spr1Hのみが機能し、降圧動作時には保護信号Spr2L、Spr2H、Spr3L、Spr3Hのみが機能する。
この実施の形態では、入出力端子電圧V1、V2に基づいて主回路部の動作が昇圧動作か降圧動作かを判別する動作モード判別部４を備えて、短絡用MOSFET(Mos1Lpr、Mos1Hpr、Mos2Lpr、Mos2Hpr、Mos3Lpr、Mos3Hpr)を駆動するための保護信号(Spr1L、Spr1H、Spr2L、Spr2H、Spr3L、Spr3H)を生成する際、動作モードMode1に応じて生成した。即ち、動作モードMode1に応じて、コンデンサCr12、Cr13の電圧異常時にオフさせるMOSFET(Mos1L〜Mos3L、Mos1H〜Mos3H)を決定するようにした。このため、コンデンサCr12、Cr13の電圧異常時に充放電経路を遮断する保護動作を効率的にできて、より高効率なＤＣ／ＤＣ電力変換装置を実現できる。
【００４９】
実施の形態５．
次に、この発明の実施の形態５によるＤＣ／ＤＣ電力変換装置を説明する。
図６は、この発明の実施の形態５によるＤＣ／ＤＣ電力変換装置の回路構成を示す図である。特に、図６（ａ）は主回路部を示し、図６（ｂ）は、主回路部の高圧側MOSFET（Mos1H）、低圧側MOSFET（Mos1L）を駆動するためのゲート信号GateH、GateLを生成する制御回路１０ａを示し、図６（ｃ）は、短絡用MOSFET(Mos1Lpr、Mos1Hpr)を駆動するための保護信号(Spr1L、Spr1H)を生成する回路を示す。
この実施の形態５では、電圧端子VLとVcom間の電圧V1から電圧端子VHとVcom間の電圧V2へエネルギを移行する昇圧形のＤＣ／ＤＣ電力変換装置について示し、この場合降圧機能を備えていない。また上記実施の形態１と同様に、電圧V2は電圧V1の約３倍となっている。
【００５０】
この実施の形態では図６（ａ）に示すように、図１で示した上記実施の形態１によるＤＣ／ＤＣ電力変換装置における回路Ａ１〜Ａ３の替わりに、回路A1a〜A3aを用い、回路A1aは回路Ａ１と同様の構成、回路A2a、A3aは、２つのMOSFET（Mos2L、Mos2H）（Mos3L、Mos3H）をそれぞれダイオード（Di2L、Di2H）（Di3L、Dis3H）に置き換えている。即ち、駆動用インバータ回路A1aは、低圧側素子、高圧側素子としての２つのMOSFET（Mos1L、Mos1H）を直列接続して平滑コンデンサCs1の両端子間に接続して構成される。また整流回路A2a、A3aは、低圧側素子、高圧側素子としてのそれぞれ２つのダイオード（Di2L、Di2H）（Di3L、Di3H）を直列接続して各平滑コンデンサCs2、Cs3の両端子間に接続して構成される。このように、主回路部は、回路A1a、A2a、A3aを直列接続して構成されると共に、各回路A1a〜A3a内の２つのMOSFET（あるいはダイオード）の接続点を中間端子として、回路A1aと他の各回路A2a、A3aとの中間端子間に、コンデンサCr12、Cr13およびインダクタLr12、Lr13の直列体で構成されエネルギ移行素子として機能するＬＣ直列体LC12、LC13を接続する。各段のインダクタLrとコンデンサCrのインダクタンス値と容量値から定まる共振周期の値は、それぞれ等しくなるように設定されている。
【００５１】
なお、主回路部において、MOSFETを駆動するためのゲート駆動回路111、フォトカプラ121H、121L、電源Vs1は、駆動用インバータ回路A1aのMOSFET（Mos1L、Mos1H）に対するもの以外は削除される。また、短絡用MOSFET(Mos1Lpr、Mos1Hpr)、フォトカプラ131H、131Lについても、駆動用インバータ回路A1aに係るもの以外は削除される。
また、図６（ｂ）で示す制御回路１０ａが生成するゲート信号GateL、GateHは、上記実施の形態１で示すものと同様であるが、ここでは駆動用インバータ回路A1aのMOSFET（Mos1L、Mos1H）のみを駆動する。また図６（ｃ）に示すように、短絡用MOSFET(Mos1Lpr、Mos1Hpr)を駆動するための保護信号(Spr1L、Spr1H)も駆動用インバータ回路A1aに対するもののみ、図２で示した回路Ａ１に対するものと同様であるが、その他の部分は削除される。
【００５２】
次に、動作について説明する。平滑コンデンサCs1、Cs2、Cs3の容量値は、ＬＣ直列体LC12、LC13のコンデンサCrの容量値と比較して十分大きな値に設定される。電圧端子VL−Vcom間に入力された電圧V1を、約３倍に昇圧された電圧V2にして電圧端子VH−Vcom間に出力するため、電圧端子VH−Vcom間に負荷が接続され、電圧V2は３×V1よりも低い値となっている。定常状態では、平滑コンデンサCs1には電圧V1の電圧が充電されており、平滑コンデンサCs2、Cs3には平均的に(V2-V1)/2の電圧が充電されている。駆動用インバータ回路A1aは、電圧端子VL−Vcom間に入力されるエネルギを、MOSFET（Mos1L、Mos1H）のオンオフ動作により高電圧側に送り、整流回路A2a、A3aは、駆動用インバータ回路A1aで駆動された電流を整流し、エネルギを高電圧側へ移行する。
【００５３】
ゲート信号GateLによりMos1Lがオン状態となると、電圧差があるため、平滑コンデンサCs1、Cs2に蓄えられた一部のエネルギが、以下に示す経路でコンデンサCr12、Cr13に移行する。
Cs1⇒Di2L⇒Lr12⇒Cr12⇒Mos1L
Cs1⇒Cs2⇒Di3L⇒Lr13⇒Cr13⇒Mos1L
ＬＣ直列体LC12、LC13による共振現象を利用しているため、コンデンサCr12は平滑コンデンサCs1の電圧より大きな電圧まで充電され、コンデンサCr13は平滑コンデンサCs1、Cs2の電圧より大きな電圧まで充電される。
【００５４】
次いで、ゲート信号GateHによりMos1Hがオン状態となると、電圧差があるため、平滑コンデンサCr12、Cr13に蓄えられた一部のエネルギが、以下に示す経路でコンデンサCs2、Cs3に移行する。
Cr12⇒Lr12⇒Di2H⇒Cs2⇒Mos1H
Cr13⇒Lr13⇒Di3H⇒Cs3⇒Cs2⇒Mos1H
ＬＣ直列体LC12、LC13による共振現象を利用しているため、コンデンサCr12は平滑コンデンサCs2の電圧より小さな電圧まで放電され、コンデンサCr13は平滑コンデンサCs2、Cs3の電圧より小さな電圧まで放電される。
【００５５】
このような昇圧動作において、コンデンサCr12、Cr13の充放電により、平滑コンデンサCs1と平滑コンデンサCs2、Cs3の間でエネルギを移行する。また、各コンデンサCr12、Cr13には、インダクタLr12、Lr13が直列に接続されてＬＣ直列体LC12、LC13を構成するため、上記エネルギの移行は共振現象を利用したものとなり、大きなエネルギ量を効率よく移行できる。また、共振現象を利用しているため、コンデンサCr12、Cr13は平滑コンデンサCsの電圧以上の電圧まで充電され、平滑コンデンサCsの電圧以下の電圧まで放電される。
【００５６】
次に、短絡用MOSFET(Mos1Lpr、Mos1Hpr)と、この短絡用MOSFETを駆動するための保護信号を生成する回路（図６（ｃ）参照）とで構成される保護回路の動作について説明する。
保護回路は、コンデンサCr12の異常電圧（過大電圧、過小電圧）を検出し、MOSFET(Mos1L、Mos1H)を強制的にオフとする回路である。また、コンデンサCr12の電圧が正常であるときは、保護回路は動作しない。
【００５７】
コンデンサCr12は、Mos1Lのドレイン端子からソース端子に電流が流れて充電される。コンデンサCr12の検出電圧Vcr12が上限電圧Vcr12highより大きくなると、コンパレータCOMP101の出力である検出信号OVcr12がハイ電圧となり、コンデンサCr12が過大電圧であることを検出する。検出信号OVcr12がハイ電圧となると、保護信号Spr1Lがハイ電圧となり、Mos1LprがオンしてMos1Lのゲート−ソース端子間が短絡され、Mos1Lがオフとなる。Mos1Lがオフとなると、コンデンサCr12の充電経路が絶たれ、コンデンサCr12の充電が終了し、コンデンサCr12の過大電圧を防ぐことができる。
Mos1Lがオフすると、コンデンサCr13の充電経路も絶たれ、コンデンサCr13の過大電圧も防ぐことができる。
【００５８】
また、コンデンサCr12は、Mos1Hのドレイン端子からソース端子に電流が流れて放電される。コンデンサCr12の検出電圧Vcr12が下限電圧Vcr12lowより小さくなると、コンパレータCOMP102の出力である検出信号LVcr12がハイ電圧となり、コンデンサCr12が過小電圧であることを検出する。検出信号LVcr12がハイ電圧となると、保護信号Spr1Hがハイ電圧となり、Mos1HprがオンしてMos1Hのゲート−ソース端子間が短絡され、Mos1Hがオフとなる。Mos1Hがオフとなると、コンデンサCr12の放電経路が絶たれ、コンデンサCr12の放電が終了し、コンデンサCr12の過小電圧を防ぐことができる。
コンデンサCr12が放電により過小電圧となると、次の充電時にコンデンサCr12が過大電圧となる。このためコンデンサCr12の過小電圧を防ぐことにより、コンデンサCr12の過大電圧も防ぐことができ、電圧リプルも抑制することができる。
また、Mos1Hがオフすると、同様にコンデンサCr13の過小電圧も防ぐことができ、さらにコンデンサCr13の過大電圧も防ぐことができ、電圧リプルも抑制することができる。
【００５９】
この実施の形態では、整流回路A2a、A3a内のダイオードに電流が流れるため、導通損失が発生するものであるが、ＬＣ直列体LC12、LC13の共振現象を効果的に利用でき、変換効率の高いＤＣ／ＤＣ電力変換装置が実現できる。また、コンデンサCr12、Cr13の過大電圧、過小電圧を防ぐことにより、コンデンサCr12、Cr13の電圧リプルを抑制でき、コンデンサCr12、Cr13の過電流と、MOSFET(Mos1L、Mos1H)の過電流も防ぐことができ、信頼性の高いＤＣ／ＤＣ電力変換装置が実現できる。
また、短絡用MOSFET(Mos1Lpr、Mos1Hpr)を備えたため、コンデンサCr12、Cr13の充放電経路を容易に遮断できてコンデンサCr12、Cr13の過大電圧、過小電圧を容易で確実に防ぐことができる。
【００６０】
実施の形態６．
上記実施の形態５では、昇圧回路であるＤＣ／ＤＣ電力変換装置の整流回路にダイオードを用いたものを示したが、電圧V2から電圧V1へエネルギを移行する降圧回路であるＤＣ／ＤＣ電力変換装置の整流回路にダイオードを用いても良い。
図７は、この発明の実施の形態６によるＤＣ／ＤＣ電力変換装置の回路構成を示す図である。特に、図７（ａ）は主回路部を示し、図７（ｂ）は、主回路部の高圧側MOSFET（Mos2H、Mos3H）、低圧側MOSFET（Mos2L、Mos3L）を駆動するためのゲート信号GateH、GateLを生成する制御回路１０ｂを示し、図７（ｃ）は、短絡用MOSFET(Mos2Lpr、Mos3Lpr、Mos2Hpr、Mos3Hpr)を駆動するための保護信号(Spr2L、Spr3L、Spr2H、Spr3H)を生成する回路を示す。
【００６１】
この実施の形態では図７（ａ）に示すように、図１で示した上記実施の形態１によるＤＣ／ＤＣ電力変換装置における回路Ａ１〜Ａ３の替わりに、回路A1b〜A3bを用い、回路A2b、A3bは回路Ａ２、Ａ３と同様の構成で駆動用インバータ回路とし、回路A1bは２つのMOSFET（Mos1L、Mos1H）をそれぞれダイオード（Di1L、Di1H）に置き換えて整流回路とする。このように、主回路部は、回路A1b、A2b、A3bを直列接続して構成されると共に、各回路A1b〜A3b内の２つのMOSFET（あるいはダイオード）の接続点を中間端子として、回路A1bと他の各回路A2b、A3bとの中間端子間に、コンデンサCr12、Cr13およびインダクタLr12、Lr13の直列体で構成されエネルギ移行素子として機能するＬＣ直列体LC12、LC13を接続する。各段のインダクタLrとコンデンサCrのインダクタンス値と容量値から定まる共振周期の値は、それぞれ等しくなるように設定されている。
【００６２】
なお、図１における回路Ａ１内のMOSFETを駆動するためのゲート駆動回路111、フォトカプラ121H、121L、電源Vs1は削除される。また、短絡用MOSFET(Mos1Lpr、Mos1Hpr)、フォトカプラ131H、131Lについても削除される。
また、図７（ｂ）で示す制御回路１０ｂが生成するゲート信号GateL、GateHは、上記実施の形態１で示すものと同様であるが、ここでは駆動用インバータ回路A2b、A3bのMOSFET（Mos2L、Mos2H）（Mos3L、Mos3H）のみを駆動する。また図７（ｃ）に示すように、短絡用MOSFET(Mos2Lpr、Mos2Hpr、Mos3Lpr、Mos3Hpr)を駆動するための保護信号(Spr2L、Spr2H、Spr3L、Spr3H)も駆動用インバータ回路A2b、A3bに対するもののみ、図２で示した回路Ａ２、Ａ３に対するものと同様であるが、その他の部分は削除される。
【００６３】
この実施の形態においても、整流回路A1b内のダイオードに電流が流れるため、導通損失が発生するものであるが、ＬＣ直列体LC12、LC13の共振現象を効果的に利用でき、変換効率の高いＤＣ／ＤＣ電力変換装置が実現できる。
また、ＬＣ直列体LC12、LC13による共振現象を利用して降圧動作を行うため、コンデンサCr12は平滑コンデンサCs2の電圧より小さな電圧まで放電され、コンデンサCr13は平滑コンデンサCs2、Cs3の電圧より小さな電圧まで放電される。しかしながら、コンデンサCr12、Cr13の異常電圧（過大電圧、過小電圧）を検出して、MOSFET(Mos2L、Mos3L、Mos2H、Mos3H)を強制的にオフとすることでコンデンサCr12、Cr13の充放電を終了させて、コンデンサCr12、Cr13の過大電圧、過小電圧を防ぐ。このため、コンデンサCr12、Cr13の電圧リプルを抑制でき、コンデンサCr12、Cr13の過電流と、MOSFET(Mos2L、Mos2H、Mos3L、Mos3H)の過電流も防ぐことができ、信頼性の高いＤＣ／ＤＣ電力変換装置が実現できる。
また、短絡用MOSFET(Mos2Lpr、Mos2Hpr、Mos3Lpr、Mos3Hpr)を備えたため、コンデンサCr12、Cr13の充放電経路を容易に遮断できてコンデンサCr12、Cr13の過大電圧、過小電圧を容易で確実に防ぐことができる。
【００６４】
実施の形態７．
次に、この発明の実施の形態７によるＤＣ／ＤＣ電力変換装置を説明する。
図８は、この発明の実施の形態７によるＤＣ／ＤＣ電力変換装置の回路構成を示す図である。特に、図８（ａ）は主回路部を示し、図８（ｂ）は、主回路部の高圧側MOSFET（Mos1H〜Mos3H）、低圧側MOSFET（Mos1L〜Mos3L）を駆動するためのゲート信号GateH、GateLを生成する制御回路１０を示し、図８（ｃ）は、保護信号(Spr1L〜Spr3L、Spr1H〜Spr3H)を生成する回路を示す。
図８（ｂ）で示す制御回路１０は、上記実施の形態１の図２（ａ）で示したものと同じである。図８（ｃ）で示す保護信号(Spr1L〜Spr3L、Spr1H〜Spr3H)を生成する回路は、上記実施の形態１の図２（ｂ）で示したものと回路構成は同様であるが、この場合、生成された保護信号(Spr1L〜Spr3L、Spr1H〜Spr3H)は、後述するようにゲート信号GateL、GateHのハイ信号を制限する。
【００６５】
主回路部は、図８（ａ）に示すように、図１で示した上記実施の形態１によるＤＣ／ＤＣ電力変換装置において、短絡用MOSFET(Mos1Lpr〜Mos3Lpr、Mos1Hpr〜Mos3Hpr)およびフォトカプラ131L〜133L、131H〜133Hが削除される。替わりに、インバータ回路(ロジック回路)INV101L〜INV103L、INV101H〜INV103Hとアンド回路(ロジック回路)AND101L〜AND103L、AND101H〜AND103Hとを備える。
保護信号Spr1Lがインバータ回路（ロジック回路）INV101Lに入力され、インバータ回路(ロジック回路)INV101Lの出力とゲート信号GateLがアンド回路(ロジック回路)AND101Lに入力され、アンド回路（ロジック回路）AND101Lの出力がフォトカプラ121Lに入力される。保護信号Spr1Hがインバータ回路（ロジック回路）INV101Hに入力され、インバータ回路(ロジック回路)INV101Hの出力とゲート信号GateHがアンド回路(ロジック回路)AND101Hに入力され、アンド回路（ロジック回路）AND101Hの出力がフォトカプラ121Hに入力される。保護信号Spr2Lがインバータ回路（ロジック回路）INV102Lに入力され、インバータ回路(ロジック回路)INV102Lの出力とゲート信号GateLがアンド回路(ロジック回路)AND102Lに入力され、アンド回路（ロジック回路）AND102Lの出力がフォトカプラ122Lに入力される。保護信号Spr2Hがインバータ回路（ロジック回路）INV102Hに入力され、インバータ回路(ロジック回路)INV102Hの出力とゲート信号GateHがアンド回路(ロジック回路)AND102Hに入力され、アンド回路（ロジック回路）AND102Hの出力がフォトカプラ122Hに入力される。保護信号Spr3Lがインバータ回路（ロジック回路）INV103Lに入力され、インバータ回路(ロジック回路)INV103Lの出力とゲート信号GateLがアンド回路(ロジック回路)AND103Lに入力され、アンド回路（ロジック回路）AND103Lの出力がフォトカプラ123Lに入力される。保護信号Spr3Hがインバータ回路（ロジック回路）INV103Hに入力され、インバータ回路(ロジック回路)INV103Hの出力とゲート信号GateHがアンド回路(ロジック回路)AND103Hに入力され、アンド回路（ロジック回路）AND103Hの出力がフォトカプラ123Hに入力される。
【００６６】
コンデンサCr12、Cr13の充放電動作、およびコンデンサCr12、Cr13の異常電圧（過大電圧、過小電圧）を検出して保護信号(Spr1L〜Spr3L、Spr1H〜Spr3H)を生成する動作も、上記実施の形態１と同様である。
この実施の形態では、上述したように、MOSFET（Mos1L〜Mos3L、Mos1H〜Mos3H）を駆動するためにフォトカプラ121L〜123L、121H〜123Hに入力されるゲート信号GateL、GateHのハイ信号を、保護信号(Spr1L〜Spr3L、Spr1H〜Spr3H)の反転信号で制限することで、所望のMOSFET（Mos1L〜Mos3L、Mos1H〜Mos3H）をオフできる。
即ち、上記実施の形態１と同様に、コンデンサCr12の電圧がVcr12highより大きくなるとMOSFET(Mos1L、Mos2H)がオフとなり、コンデンサCr12の電圧がVcr12lowより小さくなるとMOSFET（Mos1H、Mos2L）がオフとなる。コンデンサCr13の電圧がVcr13highより大きくなるとMOSFET(Mos3H)がオフとなり、コンデンサCr13の電圧がVcr13lowより小さくなるとMOSFET（Mos3L）がオフとなる。
【００６７】
このように、コンデンサCr12、Cr13の異常電圧（過大電圧、過小電圧）を検出して、MOSFET(Mos1L〜Mos3L、Mos1H〜Mos3H)をオフとすることでコンデンサCr12、Cr13の充放電を終了させて、コンデンサCr12、Cr13の過大電圧、過小電圧を防ぐ。このため、コンデンサCr12、Cr13の電圧リプルを抑制でき、コンデンサCr12、Cr13の過電流と、MOSFET(Mos1L、Mos1H)の過電流も防ぐことができ、信頼性の高いＤＣ／ＤＣ電力変換装置が実現できる。
また、ゲート信号GateL、GateHのハイ信号を、保護信号(Spr1L〜Spr3L、Spr1H〜Spr3H)を用いて制限することで、コンデンサCr12、Cr13の充放電経路を容易に遮断できてコンデンサCr12、Cr13の過大電圧、過小電圧を容易で確実に防ぐことができる。
またこの実施の形態においても、ＬＣ直列体LC12、LC13の共振現象を効果的に利用でき、しかも各回路Ａ１〜Ａ３にMOSFETを用いたことで導通損失が低減できるため、変換効率の高いＤＣ／ＤＣ電力変換装置が実現できる。
【００６８】
なお、上記各実施の形態１〜７では、コンデンサCr12、Cr13の異常電圧（過大電圧、過小電圧）を検出するようにしたが、コンデンサCr12、Cr13に流れる過電流を検出することで異常を検出しても良く、同様にコンデンサCr12、Cr13の充放電経路を遮断することで同様の効果が得られる。また、コンデンサCr12、Cr13に流れる電流は、インダクタLr12、Lr13を流れる電流や、高圧側MOSFETと低圧側MOSFETとの接続点から出力電流など他の場所の電流を測定することで検出しても良い。
【００６９】
実施の形態８．
次に、この発明の実施の形態８によるＤＣ／ＤＣ電力変換装置を説明する。
図９は、この発明の実施の形態８によるＤＣ／ＤＣ電力変換装置の回路構成を示す図である。特に、図９（ａ）は主回路部を示し、図９（ｂ）は、主回路部の高圧側MOSFET（Mos1H〜Mos3H）、低圧側MOSFET（Mos1L〜Mos3L）を駆動するためのゲート信号GateH、GateLを生成する制御部を示す。
主回路部は、図９（ａ）に示すように、図１で示した上記実施の形態１によるＤＣ／ＤＣ電力変換装置において、短絡用MOSFET(Mos1Lpr〜Mos3Lpr、Mos1Hpr〜Mos3Hpr)およびフォトカプラ131L〜133L、131H〜133Hが削除される。
【００７０】
制御部は、図９（ｂ）に示すように、入出力端子電圧V1、V2を検出する電圧センサSVL、SVHと、平滑コンデンサCsの電圧差を演算する電圧差演算部５と、コンパレータCOMP11と、制御回路１１とで構成される。
電圧センサSVHは電圧端子VH、Vcomに接続されており、電圧端子VH、Vcom間の電圧V2を検出する。電圧センサSVLは電圧端子VL、Vcomに接続されており、電圧端子VL、Vcom間の電圧V1を検出する。電圧差演算部５は、電圧センサSVH、SVLからの検出電圧V2、V1を入力として、V11＝|V2−V1×３|の演算が行われ、電圧差V11を出力する。なお、電圧差演算部５は、マイクロコンピュータあるいはオペアンプを用いた回路により実現される。
電圧差演算部５が出力する電圧差V11は、平滑コンデンサCs1、Cs2の電圧差と平滑コンデンサCs1、Cs3の電圧差の和である。
コンパレータCOMP11には、電圧差V11とその上限電圧となる所定の電圧ΔV2とが入力され、保護信号Spr11が出力される。電圧差V11がΔV2よりも大きいときに保護信号Spr11がハイ電圧であり、電圧差V11がΔV2よりも小さいときに保護信号Spr11はロウ電圧となる。
【００７１】
制御回路１１は、マイクロコンピュータ等の信号処理回路から成り、２組のゲート信号(GateL、GateH)である第１、第２のゲート信号を生成するゲート信号生成部１１ｂと、第１、第２のゲート信号を切り替える切替部１１ａとで構成される。ゲート信号生成部１１ｂが生成する第１のゲート信号(GateL、GateH)は、LrとCrによるＬＣ直列体LC12、LC13にて定まる共振周期と同等の周期Ｔでデューティー約50％のオンオフ信号であり、GateHとGateLはオンとオフとが相反する信号である。なお、MOSFETはゲート信号がハイ電圧でオンする。ゲート信号生成部１１ｂが生成する第２のゲート信号(GateL、GateH)は、第１のゲート信号と周期が同じで、オン時間（ハイ電圧の時間）が所定時間分短く、その分、オフ時間（ロウ電圧の時間）が長い。
【００７２】
制御回路１１には保護信号Spr11が入力され、保護信号Spr11がロウ電圧のとき、切替部１１ａは第１のゲート信号を切り替え選択してゲート信号生成部１１ｂから出力させる。また、保護信号Spr11がハイ電圧のとき、切替部１１ａは第２のゲート信号を切り替え選択してゲート信号生成部１１ｂから出力させる。
保護信号Spr11がロウ電圧のとき、つまり平滑コンデンサCsの電圧差V11がΔV2より小さい定常時には、制御回路１１は第１のゲート信号GateL、GateHを出力し、ＤＣ／ＤＣ電力変換装置は有効にエネルギを送り、コンデンサCr12、Cr13の充放電により昇圧あるいは降圧動作を行う。
保護信号Spr11がハイ電圧のとき、つまり平滑コンデンサCsの電圧差V11が上限電圧であるΔV2より大きい異常時には、制御回路１１は、オン時間の短い第２のゲート信号GateL、GateHを出力する。これにより、主回路部のMOSFET(Mos1L、Mos1H、Mos2L、Mos2H、Mos3L、Mos3H)のオン時間が短くなり、コンデンサCr12、Cr13の充放電時間が短くなる。
【００７３】
コンデンサCr12、Cr13の充放電動作は、上記実施の形態１と同様である。
コンデンサCr12は、平滑コンデンサCs1と平滑コンデンサCs2とのエネルギにより充放電を行う。そのため平滑コンデンサCs1と平滑コンデンサCs2との電圧差が大きいと、コンデンサCr12の電圧リプルが大きくなる。また、コンデンサCr13は、平滑コンデンサCs1、Cs2と平滑コンデンサCs2、Cs3とのエネルギにより充放電を行う。そのため平滑コンデンサCs1と平滑コンデンサCs3との電圧差が大きいと、コンデンサCr13の電圧リプルが大きくなる。
【００７４】
上述したように、電圧差V11は、平滑コンデンサCs1、Cs2の電圧差と平滑コンデンサCs1、Cs3の電圧差の和であるため、電圧差V11が上限電圧であるΔV2より大きい異常時に、仮に定常時と同様の第１のゲート信号(GateL、GateH)により動作すると、コンデンサCr12、Cr13の電圧リプルが大きくなる。ここでは、オン時間の短い第２のゲート信号GateL、GateHを用いて主回路部のMOSFET(Mos1L、Mos1H、Mos2L、Mos2H、Mos3L、Mos3H)を動作するため、コンデンサCr12、Cr13の充放電時間が短くなり、コンデンサCr12、Cr13のリプル電圧が抑制される。
また、コンデンサCr12、Cr13のリプル電圧を抑制することにより、コンデンサCr12、Cr13の電流も抑制することができ、コンデンサCr12、Cr13のリプル電流による自己発熱を抑制することができる。
【００７５】
この実施の形態では、ＬＣ直列体LC12、LC13の共振現象を効果的に利用でき、しかも各回路Ａ１〜Ａ３にMOSFETを用いたことで導通損失が低減できるため、変換効率の高いＤＣ／ＤＣ電力変換装置が実現できる。
また、ＤＣ／ＤＣ電力変換装置の平滑コンデンサCsの電圧差が所定の上限電圧を超えると、定常時に用いる第１のゲート信号GateL、GateHと周期が同じでオン時間の短い第２のゲート信号GateL、GateHに切り替えて用いた。このため、上記実施の形態１〜７に比して少ない部品構成にて、コンデンサCr12、Cr13のリプル電圧、リプル電流を抑制することができ、信頼性の高いＤＣ／ＤＣ電力変換装置を実現できる。
【００７６】
なお、上記実施の形態３と同様に、ＤＣ／ＤＣ電力変換装置の温度を検出する温度センサを設けて、電圧差V11の上限電圧であるΔV2を検出温度に応じて可変としても良く、コンデンサCr12、Cr13の高温による故障を効果的に防止でき、信頼性がさらに向上する。この場合、検出温度が低いときにはΔV2を大きくし、検出温度が高いときにはΔV2を小さくする。
【００７７】
実施の形態９．
次に、この発明の実施の形態９によるＤＣ／ＤＣ電力変換装置を説明する。
図１０は、この発明の実施の形態９によるＤＣ／ＤＣ電力変換装置の回路構成を示す図である。特に、図１０（ａ）は主回路部を示し、図１０（ｂ）は、主回路部の高圧側MOSFET（Mos1H〜Mos3H）、低圧側MOSFET（Mos1L〜Mos3L）を駆動するためのゲート信号GateH、GateLを生成する制御部を示す。
図１０（ａ）で示す主回路部は、上記実施の形態８と同様である。制御部は、図１０（ｂ）に示すように、ＤＣ／ＤＣ電力変換装置の起動時から予め設定された所定時間を計測するタイマ６と、制御回路１２とを備える。
【００７８】
制御回路１２は、マイクロコンピュータ等の信号処理回路から成り、２組のゲート信号(GateL、GateH)である第１、第２のゲート信号を生成するゲート信号生成部１２ｂと、第１、第２のゲート信号を切り替える切替部１２ａとで構成される。ゲート信号生成部１２ｂが生成する第１のゲート信号(GateL、GateH)は、LrとCrによるＬＣ直列体LC12、LC13にて定まる共振周期と同等の周期Ｔでデューティー約50％のオンオフ信号であり、GateHとGateLはオンとオフとが相反する信号である。ゲート信号生成部１２ｂが生成する第２のゲート信号(GateL、GateH)は、第１のゲート信号と周期が同じで、オン時間（ハイ電圧の時間）が所定時間分短く、その分、オフ時間（ロウ電圧の時間）が長い。
【００７９】
制御回路１２にはタイマ６からの信号が入力され、起動時から上記所定時間の間、切替部１２ａは第２のゲート信号を切り替え選択してゲート信号生成部１２ｂから出力させる。また、起動時から上記所定時間が経過すると、切替部１２ａは第１のゲート信号を切り替え選択してゲート信号生成部１２ｂから出力させる。
【００８０】
ＤＣ／ＤＣ電力変換装置のコンデンサCr12、Cr13の充放電による動作は、上記実施の形態１と同様である。ＤＣ／ＤＣ電力変換装置が動作している状態では、各平滑コンデンサCs1、Cs2、Cs3の電圧とコンデンサCr12の平均電圧とはほぼ等しくなる。また、コンデンサCr13の平均電圧は、平滑コンデンサCs1、Cs2、Cs3の電圧やコンデンサCr12の平均電圧のほぼ２倍となる。平滑コンデンサCs1、Cs2、Cs3とコンデンサCr12、Cr13との間のエネルギの移行は、平滑コンデンサCs1、Cs2、Cs3とコンデンサCr12、Cr13との電圧差により行われる。そのため、平滑コンデンサCs1、Cs2、Cs3の電圧とコンデンサCr12、Cr13の電圧のバランスが崩れると、平滑コンデンサCsとコンデンサCrの間に過大なエネルギが移行し、コンデンサCr12、Cr13の電圧リプルが大きくなる。これにより、コンデンサCr12、Cr13に過電流が流れ、ＤＣ／ＤＣ電力変換装置が故障する懸念もある。
【００８１】
ＤＣ／ＤＣ電力変換装置の起動時には、平滑コンデンサCs1、Cs2、Cs3の電圧とコンデンサCr12、Cr13の電圧のバランスが崩れていることが多く、そのまま起動すると上記のような大きな電圧リプルを引き起こすものであった。
この実施の形態では、起動時から所定時間の間、オン時間の短い第２のゲート信号GateL、GateHを用いて主回路部のMOSFET(Mos1L、Mos1H、Mos2L、Mos2H、Mos3L、Mos3H)を動作するため、コンデンサCr12、Cr13の充放電時間が短くなり、コンデンサCr12、Cr13のリプル電圧が抑制され、過電流も抑制できる。その後、定常時用の第１のゲート信号GateL、GateHを用い、ＤＣ／ＤＣ電力変換装置は有効にエネルギを送り、コンデンサCr12、Cr13の充放電により昇圧あるいは降圧動作を行う。
【００８２】
この実施の形態では、ＤＣ／ＤＣ電力変換装置の起動時から所定時間の間、定常時に用いる第１のゲート信号GateL、GateHと周期が同じでオン時間の短い第２のゲート信号GateL、GateHを用いるようにしたため、上記実施の形態１〜７に比して少ない部品構成にて、コンデンサCr12、Cr13のリプル電圧、リプル電流を抑制することができ、信頼性の高いＤＣ／ＤＣ電力変換装置を実現できる。
【００８３】
なお、この実施の形態では、起動時からの所定時間のみ第２のゲート信号を用いたが、上記実施の形態８に適用して、ＤＣ／ＤＣ電力変換装置の平滑コンデンサCsの電圧差が所定の上限電圧を超える異常時と、起動時からの所定時間との双方の期間にて第２のゲート信号を用いるようにすることで、さらに信頼性の高いＤＣ／ＤＣ電力変換装置が得られる。
【００８４】
また、上記実施の形態１〜７の各実施の形態にも適用でき、各実施の形態によるＤＣ／ＤＣ電力変換装置の起動時から所定時間のみに、定常時に用いる第１のゲート信号GateL、GateHと周期が同じでオン時間の短い第２のゲート信号GateL、GateHを用いるようにすることで、起動時および初期動作時におけるコンデンサCr12、Cr13のリプル電圧、リプル電流を抑制することができ、さらに信頼性の高いＤＣ／ＤＣ電力変換装置が得られる。
【００８５】
実施の形態１０．
次に、この発明の実施の形態１０によるＤＣ／ＤＣ電力変換装置を説明する。
図１１は、この発明の実施の形態１０によるＤＣ／ＤＣ電力変換装置の回路構成を示す図である。
図１１に示すように、主回路部は、上記実施の形態８、９と同様であり、制御部は、ＬＣ直列体LC12、LC13を流れる電流を検出する電流センサCT12、CT13と、検出した電流から保護信号Spr12を出力する過電流検出部７と、各MOSFET（Mos1H〜Mos3H、Mos1L〜Mos3L）を駆動するためのゲート信号GateH、GateLを生成する制御回路１１とを備える。
【００８６】
過電流検出部７は、電流センサCT12、CT13からの検出電流が、予め設定された上限値となる所定の電流値よりも大きいときに、出力する保護信号Spr12がハイ電圧であり、検出電流が、上記所定の電流値以下のときに保護信号Spr12はロウ電圧となる。
制御回路１１は、上記実施の形態８と同様に、第１、第２のゲート信号を生成するゲート信号生成部１１ｂと、切替部１１ａとで構成され、保護信号Spr12がロウ電圧のとき、切替部１１ａは第１のゲート信号を切り替え選択してゲート信号生成部１１ｂから出力させる。また、保護信号Spr12がハイ電圧のとき、切替部１１ａは第２のゲート信号を切り替え選択してゲート信号生成部１１ｂから出力させる。
なお、この場合も、第１のゲート信号(GateL、GateH)は、LrとCrによるＬＣ直列体LC12、LC13にて定まる共振周期と同等の周期Ｔでデューティー約50％のオンオフ信号であり、GateHとGateLはオンとオフとが相反する信号である。なお、MOSFETはゲート信号がハイ電圧でオンする。また、第２のゲート信号(GateL、GateH)は、第１のゲート信号と周期が同じで、オン時間（ハイ電圧の時間）が所定時間分短く、その分、オフ時間（ロウ電圧の時間）が長い。
【００８７】
コンデンサCr12、Cr13の充放電動作は、上記実施の形態１と同様である。
保護信号Spr12がロウ電圧のとき、つまりＬＣ直列体LC12、LC13を流れる電流が上限値以下である定常時には、制御回路１１は第１のゲート信号GateL、GateHを出力し、ＤＣ／ＤＣ電力変換装置は有効にエネルギを送り、コンデンサCr12、Cr13の充放電により昇圧あるいは降圧動作を行う。
保護信号Spr11がハイ電圧のとき、つまりＬＣ直列体LC12、LC13を流れる電流が上限値を超える過電流となる異常時には、制御回路１１は、オン時間の短い第２のゲート信号GateL、GateHを出力する。これにより、主回路部のMOSFET(Mos1L、Mos1H、Mos2L、Mos2H、Mos3L、Mos3H)のオン時間が短くなり、コンデンサCr12、Cr13の充放電時間が短くなる。これにより、コンデンサCr12、Cr13のリプル電圧が抑制され、コンデンサCr12、Cr13の電流も抑制することができる。
【００８８】
この実施の形態では、ＬＣ直列体LC12、LC13の共振現象を効果的に利用でき、しかも各回路Ａ１〜Ａ３にMOSFETを用いたことで導通損失が低減できるため、変換効率の高いＤＣ／ＤＣ電力変換装置が実現できる。
また、ＬＣ直列体LC12、LC13を流れる電流が過電流となる異常時に、定常時に用いる第１のゲート信号GateL、GateHと周期が同じでオン時間の短い第２のゲート信号GateL、GateHに切り替えて用いた。このため、上記実施の形態１〜７に比して少ない部品構成にて、コンデンサCr12、Cr13のリプル電圧、リプル電流を抑制することができ、信頼性の高いＤＣ／ＤＣ電力変換装置を実現できる。
【００８９】
なお、上記実施の形態３と同様に、ＤＣ／ＤＣ電力変換装置の温度を検出する温度センサを設けて、過電流検出のための上限値を検出温度に応じて可変としても良い。この場合、温度が低いときには上限値を大きくし、温度が高いときには上限値を小さくする。
このように、ＤＣ／ＤＣ電力変換装置の温度が低いときには、コンデンサCr12、Cr13に比較的大きな電流を流し、温度が高いときには、コンデンサCr12、Cr13の電流を低レベルに制限することにより、自己発熱が抑制され、コンデンサCr12、Cr13が高温となるのを防止できる。これにより、コンデンサCr12、Cr13の高温による故障を効果的に防止でき、信頼性の高いＤＣ／ＤＣ電力変換装置を実現できる。
【００９０】
また、上記実施の形態では、ＬＣ直列体LC12、LC13を流れる電流を検出したが、これは、コンデンサCr12、Cr13に流れる電流を検出しているのと等しく、また、インダクタLr12、Lr13を流れる電流や、高圧側MOSFETと低圧側MOSFETとの接続点からの出力電流など他の場所の電流からをコンデンサCr12、Cr13に流れる電流を検出しても良い。
【００９１】
実施の形態１１．
上記各実施の形態１〜１０では、各回路Ａ１〜Ａ３（A1a〜A3a、A1b〜A3b）内の２つのMOSFET（ダイオード）の接続点を中間端子として、回路Ａ１（A1a、A1b）と他の各回路Ａ２、Ａ３（A2a、A3a）（A2b、A3b）との中間端子間に、コンデンサCr12、Cr13およびインダクタLr12、Lr13の直列体で構成されエネルギ移行素子として機能するＬＣ直列体LC12、LC13を接続した。各回路間に接続されるＬＣ直列体の配置は、これに限るものではなく、図１２に示すように、隣接回路間である回路Ａ１、Ａ２間、回路Ａ２、Ａ３間となる中間端子間に、コンデンサCr12、Cr23およびインダクタLr12、Lr23の直列体で構成されエネルギ移行素子として機能するＬＣ直列体LC12、LC23を接続しても良い。
なお、各段のインダクタLrとコンデンサCrのインダクタンス値と容量値から定まる共振周期の値は、それぞれ等しくなるように設定されている。
【００９２】
この場合、コンデンサCr12、Cr23の充放電動作は上記実施の形態１と異なるものであるが、ＬＣ直列体LC12、LC23の共振現象を効果的に利用でき、変換効率の高いＤＣ／ＤＣ電力変換装置が実現できる。
また、上記各実施の形態１〜７を適用し、電圧あるいは電流の異常を検出し、短絡用MOSFETを用いてコンデンサCr12、Cr23の充放電経路を遮断することで、各実施の形態と同様の効果が得られる。また、短絡用MOSFETを削除して上記実施の形態８〜１０を適用し、定常時よりもオン時間の短い第２のゲート信号を用いることで各実施の形態と同様の効果が得られる。
【００９３】
実施の形態１２．
次に、この発明の実施の形態１２によるＤＣ／ＤＣ電力変換装置を説明する。上記各実施の形態では、コンデンサCrおよびインダクタLrの直列体で構成されるＬＣ直列体を回路間に接続したが、回路間に接続されるコンデンサCrの充放電経路内にインダクタLrを接続すればよい。図１３は、この発明の実施の形態１２によるＤＣ／ＤＣ電力変換装置の主要部の回路構成を示している。
この実施の形態１２では、電圧端子VLとVcom間に入力された電圧V1を、約４倍に昇圧された電圧V3にして電圧端子VHとVcom間に出力する機能を有する昇圧形のＤＣ／ＤＣ電力変換装置について示す。
【００９４】
この実施の形態では、図１３に示すように、図１にて示した上記実施の形態１とインダクタLrの配置が異なる。即ち、エネルギ移行用のコンデンサCr12、Cr13、Cr14は、回路Ａ１と他の回路との間で中間端子間に接続されているが、該コンデンサCr12、Cr13、Cr14を充放電する経路に接続されるインダクタLr0、Lr1、Lr2、Lr3、Lr4は、複数のMOSFETを接続する接続線と平滑コンデンサCs1、Cs2、Cs3、Cs4の端子との間に接続される。
接続の詳細を説明する。平滑コンデンサCs4の高圧側端子とMos4Hのドレイン端子の間にインダクタLr4、Cs3の高圧側端子とMos3Hのドレイン端子の間にインダクタLr3、Cs2の高圧側端子とMos2Hのドレイン端子の間にインダクタLr2、Cs1の高圧側端子とMos1Hのドレイン端子の間にインダクタLr1、Cs1の低圧側端子とMos1Lのソース端子の間にインダクタLr0がそれぞれ挿入されている。
【００９５】
各コンデンサCrの容量値は略等しく、各インダクタLrのインダクタンス値も略等しくなっており、各コンデンサCrの充放電経路において、インダクタLrとコンデンサCrのインダクタンス値と容量値から定まる共振周期の値は、それぞれ等しくなるように設定されている。この実施の形態では、各コンデンサCrの充放電経路内には、当該コンデンサCrと２個のインダクタLrとが含まれるため、インダクタLrのインダクタンス値をLr、コンデンサCrの容量値をCrとすると、共振周期は、2π（2Lr・Cr）0.5で計算される。
【００９６】
次に動作について説明する。
上記実施の形態１と同様に、回路Ａ１は、電圧端子VL−Vcom間に入力されるエネルギを、MOSFET（Mos1L、Mos1H）のオンオフ動作により高電圧側に送る駆動用インバータ回路に用いられる。回路Ａ２、Ａ３、Ａ４は、駆動用インバータ回路で駆動された電流を整流し、エネルギを移行する整流回路として用いられる。
ゲート信号GateH、GateLは、上記実施の形態１と同様に、LrとCrによるＬＣ直列体LC12、LC13にて定まる共振周期と同等の周期Ｔでデューティー約50％のオンオフ信号であり、GateHとGateLはオンとオフとが相反する信号である。
平滑コンデンサCs1、Cs2、Cs3、Cs4の容量値は、コンデンサCr12、Cr13、Cr14の容量値と比較して十分大きな値に設定される。
上述したように、電圧端子VL−Vcom間に入力された電圧V1を、約４倍に昇圧された電圧V3にして電圧端子VH−Vcom間に出力するため、電圧端子VH−Vcom間に負荷が接続され、電圧V3は4×V1よりも低い値となっている。定常状態では、平滑コンデンサCs1には電圧V1の電圧が充電されており、平滑コンデンサCs2、Cs3、Cs4には平均的に(V2-V1)/3の電圧が充電されている。
【００９７】
低圧側MOSFETへのゲート信号GateLにより各回路Ａ１〜Ａ４の低圧側MOSFETであるMos1L、Mos2L、Mos3L、Mos4Lがオン状態となると、電圧差があるため、平滑コンデンサCs1、Cs2、Cs3に蓄えられた一部のエネルギが、以下に示す経路でコンデンサCr12、Cr13、Cr14に移行する。
Cs1⇒Lr1⇒Mos2L⇒Cr12⇒Mos1L⇒Lr0
Cs1⇒Cs2⇒Lr2⇒Mos3L⇒Cr13⇒Mos1L⇒Lr0
Cs1⇒Cs2⇒Cs3⇒Lr3⇒Mos4L⇒Cr14⇒Mos1L⇒Lr0
【００９８】
次いで、高圧側MOSFETへのゲート信号GateHにより各回路Ａ１〜Ａ４の高圧側MOSFETであるMos1H、Mos2H、Mos3H、Mos4Hがオン状態となると、電圧差があるため、コンデンサCr12、Cr13、Cr14に充電されたエネルギが、以下に示す経路で平滑コンデンサCs2、Cs3、Cs4に移行する。
Cr12⇒Mos2H⇒Lr2⇒Cs2⇒Lr1⇒Mos1H
Cr13⇒Mos3H⇒Lr3⇒Cs3⇒Cs2⇒Lr1⇒Mos1H
Cr14⇒Mos4H⇒Lr4⇒Cs4⇒Cs3⇒Cs2⇒Lr1⇒Mos1H
【００９９】
このように、コンデンサCr12、Cr13、Cr14の充放電により、平滑コンデンサCs1から平滑コンデンサCs2、Cs3、Cs4にエネルギを移行する。そして、電圧端子VLとVcom間に入力された電圧V1を、約４倍に昇圧された電圧V3にして電圧端子VHとVcom間に出力する。また、各コンデンサCr12、Cr13、Cr14の充放電経路には、２個のインダクタLr（Lr0〜Lr4）が直列に接続されているため、上記エネルギの移行は共振現象を利用したものとなり、大きなエネルギ量を効率よく移行できる。
なお、この場合、昇圧回路として説明したが、降圧回路にも同様に適用できる。
【０１００】
この実施の形態のようなコンデンサCr12、Cr13、Cr14とインダクタLr0〜Lr4との配置であっても、上記各実施の形態を適用することができる。即ち、上記各実施の形態１〜７を適用し、電圧あるいは電流の異常を検出し、短絡用MOSFETを用いてコンデンサCr12、Cr23の充放電経路を遮断することで、各実施の形態と同様の効果が得られる。さらに、上記実施の形態８〜１０を適用し、定常時よりもオン時間の短い第２のゲート信号を用いることで各実施の形態と同様の効果が得られる。
【０１０１】
また、上記各実施の形態では、駆動用インバータ回路、整流回路内の半導体スイッチング素子に、ソース、ドレイン間に寄生ダイオードが形成されているパワーMOSFETを用いたが、ＩＧＢＴ等、制御電極でオンオフ動作が制御できる他の半導体スイッチング素子でも良く、その場合ダイオードが逆並列接続されたものを用い、このダイオードがパワーMOSFETの寄生ダイオードの機能を果たす。これにより、上記各実施の形態と同様の制御により同様の効果が得られる。
また、上記各実施の形態は、回路の段数を変化させた、いろいろな電圧比のＤＣ／ＤＣ電力変換装置へも、発明を適用できることは言うまでもない。
【図面の簡単な説明】
【０１０２】
【図１】この発明の実施の形態１によるＤＣ／ＤＣ電力変換装置の主回路部の構成を示す図である。
【図２】この発明の実施の形態１によるＤＣ／ＤＣ電力変換装置の制御部の構成を示す図である。
【図３】この発明の実施の形態２による保護信号生成回路を示す図である。
【図４】この発明の実施の形態３による保護信号生成回路を示す図である。
【図５】この発明の実施の形態４による保護信号生成回路を示す図である。
【図６】この発明の実施の形態５によるＤＣ／ＤＣ電力変換装置の回路構成を示す図である。
【図７】この発明の実施の形態６によるＤＣ／ＤＣ電力変換装置の回路構成を示す図である。
【図８】この発明の実施の形態７によるＤＣ／ＤＣ電力変換装置の回路構成を示す図である。
【図９】この発明の実施の形態８によるＤＣ／ＤＣ電力変換装置の回路構成を示す図である。
【図１０】この発明の実施の形態９によるＤＣ／ＤＣ電力変換装置の回路構成を示す図である。
【図１１】この発明の実施の形態１０によるＤＣ／ＤＣ電力変換装置の回路構成を示す図である。
【図１２】この発明の実施の形態１１によるＤＣ／ＤＣ電力変換装置の主回路部の構成を示す図である。
【図１３】この発明の実施の形態１２によるＤＣ／ＤＣ電力変換装置の主要部の回路構成を示す図である。
【符号の説明】
【０１０３】
２，２ａ  上下限電圧生成部、３  温度センサ、４  動作モード判別部、
５  電圧差演算部、６  タイマ、７  過電流検出部、１０，１０ａ，１０ｂ  制御回路、
１１，１２  制御回路、１１ａ，１２ａ  切替部、１１ｂ，１２ｂ  ゲート信号生成部、
Ａ１〜Ａ４  回路（駆動用インバータ回路／整流回路）、
A1a  回路（駆動用インバータ回路）、A2a，A3a  回路（整流回路）、
A1b  回路（整流回路）、A2b，A3b  回路（駆動用インバータ回路）、
CT12，CT13  電流センサ、Cs1〜Cs4  平滑コンデンサ、
Di1H〜Di3H  高圧側ダイオード、Di1L〜Di3L  低圧側ダイオード、
GateH，GateL  ゲート信号、Cr12，Cr13，Cr23，Cr14  コンデンサ、
Lr12，Lr13，Lr23，Lr0〜Lr4  インダクタ、LC12，LC13，LC23  ＬＣ直列体、
Mos1H〜Mos4H  高圧側MOSFET、Mos1L〜Mos4L  低圧側MOSFET、
Mos1Hpr〜Mos3Hpr，Mos1Lpr〜Mos3Lpr  短絡用MOSFET、Mode1  動作モード、
OVcr12，UVcr12，OVcr13，UVcr13  検出信号、Spr1H〜Spr3H，Spr1L〜Spr3L  保護信号、
Spr11，Spr12  保護信号、SVcr12，SVcr13  電圧センサ、Vcr12，Vcr13  検出電圧、
Vcr12high，Vcr13high  上限電圧、Vcr12low，Vcr13low  下限電圧、
Vcom，VL，VH  入出力電圧端子、VM  電圧端子。
【図１】
2008289266.tif 000003
【図２】
2008289266.tif 000004
【図３】
2008289266.tif 000005
【図４】
2008289266.tif 000006
【図５】
2008289266.tif 000007
【図６】
2008289266.tif 000008
【図７】
2008289266.tif 000009
【図８】
2008289266.tif 000010
【図９】
2008289266.tif 000011
【図１０】
2008289266.tif 000012
【図１１】
2008289266.tif 000013
【図１２】
2008289266.tif 000014
【図１３】
2008289266.tif 000015